(57)【要約】【課題】  撓みや捩れを矯正することができるフラッシュ扉を提供すること。【解決手段】  上下左右の枠材２〜５からなる枠組の表裏両面に面材６、７を張り付けて構成されたフラッシュ扉１であって、面材６、７間に配置され、フラッシュ扉１の上部及び下部の第一面材６側に両端が固定されるとともに、中間部にネジ穴９が形成された板バネ８と、軸方向への移動を伴わずに回転自在に設けられ、ネジ穴９に螺合される操作ネジ１０とを備え、操作ネジ１０を回転させることによって板バネ８を第二面材７と離反又は接近させ、これにより板バネ８を上下方向に伸縮させてフラッシュ扉１の撓みを防止する。【選択図】図１
2006097438.tif 000002
【特許請求の範囲】
【請求項１】
上下左右の枠材からなる枠組の表裏両面に面材を張り付けて構成されたフラッシュ扉であって、
前記面材間に配置され、該フラッシュ扉の上部及び下部の一方の面材側に両端が固定されるとともに、中間部にネジ穴が形成された板バネと、
軸方向への移動を伴わずに回転自在に設けられ、前記ネジ穴に螺合される操作ネジとを備え、
前記操作ネジを回転させることによって板バネを他方の面材と離反又は接近させ、これにより板バネを上下方向に伸縮させて該フラッシュ扉の撓みや捩れを防止するものであることを特徴とするフラッシュ扉。
【請求項２】
前記板バネがフラッシュ扉の横方向に複数配置されてなることを特徴とする請求項１記載のフラッシュ扉。
【発明の詳細な説明】
【技術分野】
【０００１】
本発明は、フラッシュ扉に関するものであり、さらに詳しくは、撓みや捩れを矯正できるフラッシュ扉に関するものである。
【背景技術】
【０００２】
従来より、住宅等の建物、家具に取り付けられる扉には、上下左右の枠材からなる枠組の表裏両面に、木質の面材を張り付けて構成されるフラッシュ扉が多く用いられている（例えば、特許文献１）。
【０００３】
このようなフラッシュ扉には、枠材として、木材、パーティクルボード、合板、繊維板等の木質材料、或いはこれら木質材料を２〜３種類貼り合わせた複合板が用いられ、面材として、通常、合板、繊維板等の木質板の表面に天然銘木を薄くスライスした突き板や木目模様を印刷したシートを貼った化粧板、或いは表面に化粧をしていない木質の素板が用いられている。
【特許文献１】特開平７−２１７０６３号公報
【発明の開示】
【発明が解決しようとする課題】
【０００４】
しかしながら、上記フラッシュ扉に使用される木質材料は、水分を吸収又は排出することにより、膨張又は収縮する性質がある。そのため、表面と裏面に膨張率等の性質が異なる材質の面材を用いた場合や、表面側と裏面側で湿度等の条件が異なる環境下において使用される場合には、表裏の面材の膨張・収縮の度合いに差が生じ、その結果、撓みや捩れを生じることがあった。
【０００５】
そして、このような撓みや捩れが生じると、フラッシュ扉の使用性が悪くなり、場合によってはフラッシュ扉自体を交換せざるを得ないものであった。
【０００６】
本発明は、かかる事由に鑑みてなしたもので、その目的とするところは、撓みや捩れを矯正することができるフラッシュ扉を提供することにある。
【課題を解決するための手段】
【０００７】
上記課題を解決するために、本発明では、第１に、上下左右の枠材からなる枠組の表裏両面に面材を張り付けて構成されたフラッシュ扉であって、前記面材間に配置され、該フラッシュ扉の上部及び下部の一方の面材側に両端が固定されるとともに、中間部にネジ穴が形成された板バネと、軸方向への移動を伴わずに回転自在に設けられ、前記ネジ穴に螺合される操作ネジとを備え、前記操作ネジを回転させることによって板バネを他方の面材と離反又は接近させ、これにより板バネを上下方向に伸縮させて該フラッシュ扉の撓みや捩れを防止するようにする。
【０００８】
第２には、前記板バネがフラッシュ扉の横方向に複数配置されてなるようにする。
【発明の効果】
【０００９】
上記本発明のフラッシュ扉においては、フラッシュ扉の撓みや捩れを矯正することができるので、フラッシュ扉自体を交換する必要がなく、フラッシュ扉の寿命を長くすることができる。
【００１０】
また、フラッシュ扉を施工した後に撓みや捩れが生じた場合においても、操作ネジを回転させることにより板バネを上下方向に伸縮させてフラッシュ扉の撓みや捩れを矯正することができるので、現場での作業性に優れるものである。
【発明を実施するための最良の形態】
【００１１】
（実施形態１）
本発明の実施形態１におけるフラッシュ扉１について、図１に基づいて説明する。
【００１２】
本実施形態におけるフラッシュ扉１は、上枠材２、下枠材３、左右の枠材４、５によって形成される枠組の表裏面に、第一面材６及び第二面材７を貼り付けて構成され、第一面材６及び第二面材７の間に板バネ８が配置されている。
【００１３】
板バネ８は中央付近にネジ穴９を有し、フラッシュ扉１の上部及び下部の第一面材６側に上下両端が固定されるとともに、中央付近が第二面材７側に突出するように設けられている。ここで、本実施形態においては、フラッシュ扉１の上部及び下部として、それぞれ上枠材２の下面及び下枠材３の上面としているが、これに限定されるものではなく、例えば、面材の上部及び下部としてもよい。
【００１４】
また、特に限定されないが、本実施形態においては、板バネ８の横幅はフラッシュ扉１の横幅の約３分の１としてあり、また、板バネ８をフラッシュ扉１の横方向における略中央に取り付けている。
【００１５】
また、第二面材７の中央付近には、操作ネジ１０がネジ穴９に螺合された状態で回転自在に取り付けられている。ここで、操作ネジ１０は、回転に伴って軸方向に移動しないようにピン等（図示せず）を用いて第二面材７に取り付けられており、先端は第一面材６側に取り付けられた保護部材１１に当接した状態となっている。
【００１６】
そして、操作ネジ１０を回転させることによって板バネ８を第二面材７と離反又は接近させ、これにより板バネ８を上下方向に伸縮させてフラッシュ扉１の撓みを矯正するようになっている。
【００１７】
例えば、フラッシュ扉１が第二面材７側に凸となる方向に撓んだ場合、板バネ８が第二面材７から離反するように操作ネジ１０を回転させることにより板バネ８を上下方向に伸長させてフラッシュ扉１を矯正すればよい。逆に、フラッシュ扉１が第一面材６側に凸となる方向にたわんだ場合には、板バネ８が第二の面材７に接近するように操作ネジ１０を回転させることにより板バネ８を上下方向に収縮させてフラッシュ扉１を矯正すればよい。
【００１８】
以上のように、本実施形態におけるフラッシュ扉１は、板バネ８によってフラッシュ扉１の撓みを矯正することができるので、フラッシュ扉１自体を交換することなく、フラッシュ扉１の使用性を向上させることができ、フラッシュ扉１の寿命を長くすることができる。
【００１９】
また、フラッシュ扉１を施工した後に撓みが生じた場合においても、操作ネジ１０を回転させることにより板バネ８を上下方向に伸縮させてフラッシュ扉１の撓みを矯正することができるので、現場での作業性に優れるものである。
【００２０】
また、フラッシュ扉１を施工する際、現場での建付け誤差等が生じても、フラッシュ扉１側で調整が可能となる。
【００２１】
なお、板バネ８の幅や厚み、フラッシュ扉１の横方向における取り付け位置等については特に限定されるものではなく、必要に応じて適宜選択すればよいものである。
【００２２】
また、本実施形態においては、板バネ８を上下方向に配置しているが、フラッシュ扉１の撓み方向によって、例えば横方向や斜め方向に配置しておくこともできる。
【００２３】
（実施形態２）
本発明の実施形態２におけるフラッシュ扉１について、図２に基づいて説明する。本実施形態においては、主に実施形態１と異なる点について説明する。
【００２４】
本実施形態におけるフラッシュ扉１は、フラッシュ扉１の横方向において等間隔に３本の板バネ１８ａ、１８ｂ、１８ｃを備えている。各板バネ１８ａ、１８ｂ、１８ｃには実施形態１と同様にネジ穴１９ａ、１９ｂ、１９ｃが設けられており、第二面材７には、操作ネジ２０ａ、２０ｂ、２０ｃがそれぞれネジ穴１９ａ、１９ｂ、１９ｃに対応するように回転自在に取り付けられている。
【００２５】
本実施形態におけるフラッシュ扉１は、操作ネジ２０ａ、２０ｂ、２０ｃを個々に操作することができるようになっている。そのため、フラッシュ扉１が一方の面材側に上下に撓んだ場合のみならず、フラッシュ扉１の左右がそれぞれ異なる面材側に捩れた場合においても、各板バネ１８ａ、１８ｂ、１８ｃを個々に伸縮させることにより、フラッシュ扉１を矯正することができるのである。
【００２６】
以上のように、本実施形態におけるフラッシュ扉１は、３本の板バネ１８ａ、１８ｂ、１８ｃによってフラッシュ扉１の撓みや捩れを矯正することができるので、フラッシュ扉１自体を交換する必要がなく、フラッシュ扉１の寿命を長くすることができる。
【００２７】
また、フラッシュ扉１を施工した後に撓みや捩れが生じた場合においても、操作ネジ２０ａ、２０ｂ、２０ｃを個々に回転させることにより、板バネ１８ａ、１８ｂ、１８ｃを上下方向に個々に伸縮させてフラッシュ扉１の撓みや捩れを矯正することができるので、現場での作業性に優れるものである。
【００２８】
なお、３本の板バネ１８ａ、１８ｂ、１８ｃの幅や厚み、フラッシュ扉１の横方向における取り付け位置等については特に限定されるものではなく、必要に応じて適宜選択すればよいものである。
【００２９】
また、本実施形態においては、３本の板バネ１８ａ、１８ｂ、１８ｃを上下方向に配置しているが、フラッシュ扉１の撓みや捩れ方向によって、例えば横方向や斜め方向に配置しておくこともでき、また、縦方向、横方向、斜め方向に組み合わせて配置しておいてもよい。
【図面の簡単な説明】
【００３０】
【図１】本発明の実施形態１におけるフラッシュ扉１の（ａ）側面の透視説明図、（ｂ）正面図である。
【図２】本発明の実施形態２におけるフラッシュ扉１の（ａ）側面の透視説明図、（ｂ）正面図である。
【符号の説明】
【００３１】
１  フラッシュ扉
２  上枠材
３  下枠材
６  第一面材
７  第二面材
８、１８ａ〜ｃ  板バネ
９、１９ａ〜ｃ  ネジ穴
１０、２０ａ〜ｃ  操作ネジ
【図１】
2006097438.tif 000003
【図２】
2006097438.tif 000004